(57)【特許請求の範囲】
【請求項１】
平面に対して並行な移動及び傾き動作可能な操作部と、
シート部材と、
前記操作部の底面に設けられ、該操作部の動作をシート部材に伝えるための係合部と、
シート部材の動きをスライド方向の動きへと規制することにより、シート部材の動きをスライド運動に変換する運動変換部と、
該運動変換部において変換されたシート部材のスライド運動を検出する複数のセンサ部と、
該複数のセンサ部にて検出された検出信号に基づいて、検出された移動方向及び移動量の組み合わせから前記操作部における平面に並行な移動及び傾き動作を算出する算出部とを有したことを特徴とする入力装置。
【請求項２】
請求項１において、前記操作部は、当該入力装置の固定部との間で第１の弾性部材を介して結合されると共に、前記シート部材と係合する係合部を有し、
前記シート部材は前記操作部の平面に並行な移動動作に応じて前記係合部に係合されてスライド運動すると共に、前記操作部の傾き動作に応じて両端において異なるスライド運動するシート部材を有することを特徴とする入力装置。
【請求項３】
請求項２において、前記係合部は、前記操作部の傾き動作の支点となるように操作部の中央底部に設けられたことを特徴とする入力装置。
【請求項４】
請求項１において、前記操作部は、当該入力装置の固定部との間で第１の弾性部材を介して結合されると共に、前記運動変換部に固定され、前記運動変換部は、当該入力装置の基台に設けられる第２の弾性部材上に保持され、前記操作部の平面に並行な移動動作に応じてスライド運動すると共に、前記操作部の傾き動作に応じて両端において異なるスライド運動するシート部材を有することを特徴とする入力装置。
【請求項５】
請求項１ないし請求項４のいずれか１つの請求項において、前記複数の各センサ部は、前記運動変換部に設けられ前記スライド運動に応じて移動する反射部と、該反射部に対して光りを照射する発光部と、前記反射部に反射した光を受光する受光部とを有し、それぞれ異なるスライド運動を検知可能な位置に配置されることを特徴とする入力装置。
【請求項６】
請求項１ないし請求項５のいずれか１つの請求項記載の入力装置を用いた地図情報装置において、前記操作部における平面に並行な移動に応じて画面上の地図情報をスライド表示させると共に、前記操作部における傾き動作に応じて画面上の地図情報のページ捲り表示させることを特徴とする地図情報装置。
【発明の詳細な説明】
【０００１】
【発明の属する技術分野】
本発明は、入力装置及びそれを用いた地図情報装置に係わり、特に、パーソナルコンピュータ、携帯情報端末等に設けられる表示部における画面上のカーソル移動や表示移動を行うための２次元入力可能な入力装置、及びその入力装置を用いた地図表示装置に関する。
【０００２】
【従来の技術】
従来、コンピュータ等の表示装置に用いられる入力装置（以下、ポインティングデバイスと称する）としては、例えば、特開平１０−２０７６１６号公報に記載されているように、荷重を加えると平面上又は曲面上をスライド移動する操作部に反射部を設け、操作部に設けられた凹部をオペレータ等が指先でセットして荷重を加えると、操作部が荷重方向にスライド移動し、この操作部の移動に連動して反射板も同方向に移動することから、発光素子から出射された光が前記反射部によって反射され、その反射光を４個のフォトダイオードからなる受光素子で検出し、その検出信号に基づき、前記操作部の２次元的な移動方向及び移動量を検出する技術が提案されている。
【０００３】
また、特開平５−３０３４６６号公報には、ばね等により浮動支持された可動操作部材に所定の反射パターンを有する光反射面を設け、ディスプレイにカーソルが表示された状態で前記可動操作部材を指で押圧して、可動操作部材を移動させたとき、発光素子から照射された光を前記反射パターンを有する光反射面で反射させ、その反射光を受光素子で受光して、前記可動操作部材の移動方向及び移動量を検出する技術が提案されている。
【０００４】
また、特開平８−２６３１９８号公報には、２次元方向の加重により変位する可動体に、発光素子、受光素子、及び結像用レンズを一体構成したセンサを内装し、可動体を操作して加重することにより変位させ、発光素子からの光の像の動きを受光素子により検出して、加重の方向を互いに直交する２軸の各方向に置き換え、各軸方向の出力のベクトルを求め、その合成ベクトルから操作方向及び操作量を演算し、これに基いて表示装置のカーソルの移動方向及び移動速度を決め、カーソルを移動させる技術が提案されている。
【０００５】
さらに、特表平１０−５０７２９３号公報には、１個のケース本体内に上下２列に配列されたＸ、Ｙ方向移動可能なマスク機構を設けるとともに、このマスク機構の移動を検知する２つの光電グループを設け、マスク機構と光電グループ間の相対運動を検出したＸ、Ｙ軸移動のパルス信号から画面のカーソルの移動を制御する技術が提案されている。
【０００６】
【発明が解決しようとする課題】
しかしながら、上記の各従来技術のものは、上下左右等の２次元操作による移動検出を行うのみであり、特に傾き動作等を検出することは考慮されていない。また、これに操作時の傾き動作を検出するようにしようとすると、さらにセンサの数を増やす等の処置を施さなければなず、その結果として、多くの部品点数を必要とし、またそれらの実装やコスト面でも問題がある。
【０００７】
本発明は、上記の問題点に鑑みて、簡単な構成で指等によって操作部に加えられた力によって生ずる平面上の移動動作及び傾き動作を容易に検出することのできる入力装置を提供することにより、入力装置の小型化、薄型化及び操作性の向上を図ることを目的とする。
【０００８】
また、本発明の他の目的は、前記入力装置を適用して地図情報のページ捲りやスライド表示が可能な地図情報装置を提供することにある。
【０００９】
【課題を解決するための手段】
本発明は、上記の課題を達成するために、次のような手段を採用した。
【００１０】
第１の手段は、平面に対して並行な移動及び傾き動作可能な操作部と、
シート部材と、
前記操作部の底面に設けられ、該操作部の動作をシート部材に伝えるための係合部と、
シート部材の動きをスライド方向の動きへと規制することにより、シート部材の動きをスライド運動に変換する運動変換部と、
該運動変換部において変換されたシート部材のスライド運動を検出する複数のセンサ部と、
該複数のセンサ部にて検出された検出信号に基づいて、検出された移動方向及び移動量の組み合わせから前記操作部における平面に並行な移動及び傾き動作を算出する算出部とを有したことを特徴とする。
【００１１】
第２の手段は、第１の手段において、前記操作部は、当該入力装置の固定部との間で第１の弾性部材を介して結合されると共に、前記シート部材と係合する係合部を有し、
前記シート部材は前記操作部の平面に並行な移動動作に応じて前記係合部に係合されてスライド運動すると共に、前記操作部の傾き動作に応じて両端において異なるスライド運動するシート部材を有することを特徴とする。
【００１２】
第３の手段は、第２の手段において、前記係合部は、前記操作部の傾き動作の支点となるように操作部の中央底部に設けられたことを特徴とする。
【００１３】
第４の手段は、第１の手段において、前記操作部は、当該入力装置の固定部との間で第１の弾性部材を介して結合されると共に、前記運動変換部に固定され、前記運動変換部は、当該入力装置の基台に設けられる第２の弾性部材上に保持され、前記操作部の平面に並行な移動動作に応じてスライド運動すると共に、前記操作部の傾き動作に応じて両端において異なるスライド運動するシート部材を有することを特徴とする。
【００１４】
第５の手段は、第１の手段ないし第４の手段のいずれか１つの手段において、前記複数の各センサ部は、前記運動変換部に設けられ前記スライド運動に応じて移動する反射部と、該反射部に対して光りを照射する発光部と、前記反射部に反射した光を受光する受光部とを有し、それぞれ異なるスライド運動を検知可能な位置に配置されることを特徴とする。
【００１５】
第６の手段は、第１の手段ないし第５の手段のいずれか１つの手段記載の入力装置を用いた地図情報装置において、前記操作部における平面に並行な移動に応じて画面上の地図情報をスライド表示させると共に、前記操作部における傾き動作に応じて画面上の地図情報のページ捲り表示させることを特徴とする。
【００１７】
【発明の実施の形態】
はじめに、本発明の第１の実施形態を図１乃至図６を用いて説明する。
【００１８】
図２は、コンピュータ等のキーボードに取り付けられた本発明の第１の実施形態に係る入力装置の外観を示す図である。
【００１９】
同図において、１は本体キャビネット２に設置された入力装置（以下、ポインティングデバイスという）、２はコンピュータ等のキーボード等の本体キャビネット、３は操作者が指先で操作し易いように、上面の中央部が凹設された円状に形成された操作部である。このポインティングデバイス１は本体キャビネット２に内蔵された形状となっており、既存のマウスやテンキーと同様に、ポインティングデバイスのみで一体とし、本体キャビネット２と分離して外部接続するようにしてもよい。
【００２０】
図１は、本発明の第１の実施形態に係るポインティングデバイスの構成及びその動作状態を示す断面図である。
【００２１】
同図において、３はポインティングデバイス１の操作部であり、５は操作部３の側部に設けられるゴム等の材質からなる弾性構造体であり、操作部３は弾性構造体５を介してポインティングデバイス１本体の固定部２−１に結合される。３−１は操作部３の下面側に設けられる２本の突起であり、シート部材７と接触状態に保持されている。３−２は操作部３の中央底部に設けられる係合支点部であり、シート部材７の中央部分に設けられる穴を通って基台６の上面に設けられる台地状の中央部分６−２に支持され、シート部材７と係合される。係合支点部３−２は台地状の中央部分に接触しており、操作部３が傾くときには係合支点部３−２が傾きの支点となる。また、７はシート部材７であり、その下面の左右の両端付近には反射板８−Ｌ，８−Ｒが設けられる。シート部材７は固定部２−１と基台６に設けられる輪状の支持部６−１間にスライド自在に設けられ、操作部３のスライド動作及び傾き動作をスライド動作に変換する。４−Ｌ，４−Ｒはそれぞれ基台６の上面側に設けられる反射板８−Ｌ，８−Ｒと対向する位置に設けられる発光及び受光するセンサである。
【００２２】
なお、センサ４、反射板８は、ここでは左右２個所に設ける例について説明したが、操作部３によってより多方向の方向指示を行うためには、その方向の数だけセンサ４と反射板８を設けるようにしてもよい。
【００２３】
図３は、図１に示す反射板８−Ｌ，８−Ｒの構成を示す図である。
【００２４】
同図に示すように、反射板８−Ｌ，８−Ｒは黒、白の２種類の同じ大きさの四角形を互い違いに並べた市松模様の反射部材で構成され、出射した光がいずれの反射部材に出射し、反射されたかを検出することにより移動方向、移動量を検出するものである。
【００２５】
次に、操作部３のスライド動作及び傾き動作に伴うシート部材７の動作について図１及び図３を用いて説明する。
【００２６】
はじめに、スライド動作は、図１（ｂ）に示すように、図１（ａ）の状態から操作部３の凹部に操作者が指先をセットし、荷重を右方向に加えると、操作部３の左側に設けられた弾性構造体５が伸び、逆に操作部３の右側に設けられた弾性構造体５が縮む。この操作部３の移動に伴って係合支点部３−２が右方向に移動し、シート部材７は右方向にスライドする。即ち、操作部３が荷重方向にスライド移動すると、操作部３の移動に連動してシート部材７が移動し、シート部材７に設置してある反射板８−Ｌ，８−Ｒも同時に同方向に移動する。この時、センサ４Ｌ，４Ｒの光源から上方に向けて出射された光は、反射板８−Ｌ，８−Ｒによって下方に反射され、この反射光を双方のセンサ４Ｌ，４Ｒで検出することによりスライド移動した方向と移動量を検出することができる。
【００２７】
また、傾き動作は、図１（ｃ）に示すように、図１（ａ）に示す状態から操作部３の右側部分を下に押し下げて傾けると、操作部３の底部に設けられている右側の突起３−１によりシート部材７の右側が下方に押し込められる。押し込められた右側のシート部材７は押し込められた分だけ中央部分に引き寄せられ、反射板８Ｒが左側に移動する。このため、センサ４Ｒは反射板８Ｒが左方向に大きく移動したことを検出する。この時、センサ４Ｌは反射板８Ｌが右側のシート部材７の動きにつられてわずかに右方向に移動することを検出する。なお、上記では、操作部３の右側へのスライド動作及び右側の傾き動作について説明したが、左側へのスライド動作及び左側の傾き動作も方向が違うだけで同様の動作を行う。
【００２８】
このように、本実施形態のポインティングデバイスによれば、新たにセンサを追加することなく、同一のセンサを用いてスライド動作と傾き動作の違いを検出することができる。
【００２９】
次に、センサ４における操作部３のスライド動作の検出原理を図４を用いて説明する。
【００３０】
なお、図４（ａ）に示すように、センサ４Ｌ，４Ｒは、それぞれの反射板８−Ｌ，８−Ｒの黒部分では反射光を検知せず、白部分で反射光を検知できるものとする。
【００３１】
はじめに、操作部３が静止している状態では、センサ４Ｌの受光素子は位置１に位置しており、反射板８Ｌの黒部分の検出を行うと同時に、センサ４Ｒの受光素子は位置２に位置しており、反射板８Ｌの黒部分の検出を行っている。
【００３２】
ここで、操作部３、シート部材７が移動し、それに伴って反射板８−Ｌ，８−Ｒが少し左に移動すると、センサ４Ｌの受光素子は位置１’に位置することになり、反射板８Ｌの黒部分の検出を行うと同時に、センサ４Ｒの受光素子は位置２’に位置して、反射板８Ｌの白部分を検出する。これにより、センサ４Ｒの受光素子により検出された電気信号により操作部３が移動したことを検出することができる。
【００３３】
さらに、操作部３、シート部材７が移動し、それに伴って反射板８−Ｌ，８−Ｒが左に移動すると、センサ４Ｌの受光素子は、位置１”に位置して反射板８Ｌの白部分の検出を行うと同時に、センサ４Ｒの受光素子は位置２”に位置し、反射板８Ｌの白部分を検出する。従って、センサ４Ｌ，４Ｒの各受光素子により検出された電気信号により操作部３の移動距離と移動方向を算出することができる。
【００３４】
図４（ｂ）は、操作部３及びシート部材７の移動に伴う、センサ４Ｌ，４Ｒの各受光素子から見た反射板８−Ｌ，８−Ｒの位置の変移を示す図である。
【００３５】
図５は、操作部３のスライド動作及び傾き動作等の動作によってセンサ４Ｌ，４Ｒにおいて検出される検出量（シート部材７または反射板８−Ｌ，８−Ｒの移動量）の違いをまとめた表である。
【００３６】
同図（１）に示すように、センサ４Ｌ，４Ｒが共に右への大きな移動量を検出した場合は、操作部３の右スライド動作であることを特定することができる。また（２）に示すように、センサ４Ｌ，４Ｒが共に左への大きい移動量を検出した場合は、操作部３の左スライド動作であることを特定することができる。
【００３７】
また（３）に示すように、センサ４Ｌが右への小さな移動量を検出すると共に、センサ４Ｒの左への大きな移動量を検出した場合は、操作部３の右側を押し下げる右プッシュ動作であることを特定することができる。また、（４）に示すように、センサ４Ｌが右への大きな移動量、センサ４Ｒが右への小さな移動量を検出した場合は、操作部３の左側を押し下げる左プッシュ動作であることを特定することができる。
【００３８】
さらに図１には図示していないが、操作部３の係合支点部３−２が接触している基台６の台地状の部分６−２に押圧すると閉じられるスイッチを設けることにより、操作部３の凹部の真下方向への押し下げ（センタープッシュ）も検出することができる。
【００３９】
図６は、図３に示した反射板８−Ｌ，８−Ｒと異なる反射板の形状及び配置を示す図である。
【００４０】
図３に示した反射板８−Ｌ，８−Ｒは、操作部３及びシート部材７の左右方向の移動のみを検出するために配置されているが、図６（ａ）に示すものは、４つの反射板８１を上下左右に配置し、またそれに伴って上下左右に４つのセンサ４を配置して、操作部３及びシート部材７の上下左右方向の移動の検出を可能とするものである。
【００４１】
また、図６（ｂ）に示すものは、白黒の反射部材をマトリックス状に交互に並ベ、２個の反射板８２，８２を対角線上に一対設けて、２個所の反射板８２，８２の設置だけで、４方向の操作部３及びシート部材７の検出を可能とするものである。この場合は、光学マウスと同様の技術を用いて位置検出が可能である。
【００４２】
次に、本発明の第２の実施形態を図７を用いて説明する。
【００４３】
図７は、本実施形態に係るポインティングデバイスの構成及びその動作状態を示す断面図である。
【００４４】
同図において、１０はポインティングデバイスの操作部であり、操作部１０はシート部材９の上面に固定される。シート部材９は固定部２−１と基台６に設けられる輪状の支持部６−１間にスライド自在に設けられ、操作部１０のスライド動作及び傾き動作をスライド動作に変換する。１１は左右に山形状のたわみ部を有するバネ部材からなる弾性部材であり、基台６上面と輪状の支持部６−１によって形成される凹状部に収納され、山形状のたわみ部を支点にしてシート部材９を支持している。なお、その他の構成は図１に示す同符号の構成と略同じであるので説明を省略する。
【００４５】
次に、操作部１０のスライド動作及び傾き動作に伴うシート部材９の動作について図７（ａ）乃至図７（ｄ）を用いて説明する。
【００４６】
はじめに、スライド動作は、図７（ｂ）に示すように、図７（ａ）の状態から操作部１０の凹部に操作者が指先をセットし、荷重を右方向に加えると、操作部１０の左側に設けられた弾性構造体５が伸び、逆に操作部１０の右側に設けられた弾性構造体５が縮む。この操作部１０の移動に伴ってシート部材９は右方向にスライドする。即ち、操作部１０が荷重方向にスライド移動すると、操作部１０の移動に連動してシート部材９が移動し、シート部材９に設置されている反射板８−Ｌ，８−Ｒも同時に同方向に移動する。この時、センサ４Ｌ，４Ｒの光源から上方に向けて出射された光は、反射板８−Ｌ，８−Ｒによって下方に反射され、この反射光を双方のセンサ４Ｌ，４Ｒで検出することによりスライド移動した方向と移動量を検出することができる。
【００４７】
また、傾き動作は、図７（ｃ）に示すように、図７（ａ）に示した状態から操作部１０の右側部分を下に押し下げて傾けると、操作部１０の押し下げた位置に相当するシート部材９の右側が下方に押し込められる。押し込められた右側のシート部材９は押し込められた分だけ中央部分に引き寄せられ、反射板８Ｒが左側に移動する。このため、センサ４Ｒは反射板８Ｒが左方向に大きく移動したことを検出する。この時、センサ４Ｌは反射板８Ｌが右側のシート部材９の動きにつられてわずかに右方向に移動することを検出する。
【００４８】
なお、上記では、操作部１０の右側へのスライド動作及び右側の傾き動作について説明したが、左側へのスライド動作及び左側の傾き動作も方向が違うだけで同様の動作を行うので説明は省略する。
【００４９】
また、操作部１０の真下への押し下げ動作は、図７（ｄ）に示すように、図７（ａ）に示す状態から操作部１０の凹部を真下に押し下げると、シート部材９の操作部１０が固定されている部分全体が下方に押し込められ、弾性部材１１は押しつぶされる。押し込められたシート部材９は押し込められた分だけ中央部分に引き寄せられ、反射板８Ｒが左側に、反射板８Ｌが右側に移動する。このため、センサ４Ｒは反射板８Ｒが左方向に大きく移動したことを検出し、センサ４Ｌは左の反射板８Ｌが左方向に大きく移動したことを検出する。
【００５０】
このように、本実施形態のポインティングデバイスも、新たにセンサを追加することなく、同一のセンサを用いてスライド動作と傾き動作と真下押圧動作の違いを検出することができ、第１の実施形態の図５で説明したと同様の検出結果が得られる。
【００５１】
次に、本発明の第３の実施形態を図８乃至図１０を用いて説明する。
【００５２】
図８は、第１乃至第２の実施形態に係るポインティングデバイスを本実施形態に係る地図情報装置に応用したときの表示画面を示す図である。
【００５３】
同図において、１２−１は地図が表示された表示画面、１２−２は表示画面の中央部分を表している。
【００５４】
先に説明したように、第１または第２の実施形態のポインティングデバイスを用いて、スライド動作とプッシュ動作とを組み合わせることにより、同じ方向に対する２通りの移動指示を行うことが可能となる。これを利用して、本実施形態では、地図情報装置において、操作部のスライド動作によって画面上に表示されている地図をスライド移動させ、プッシュ動作によって画面上に表示されている地図のページ捲りを行わせるものである。
【００５５】
はじめに、スライド動作は、同図において、現在、ポインティングデバイスによって画面の中央部１２−２を中心に地図が表示されている状態において、第１または第２の実施形態に係るポインティングデバイスの操作部３または１１を右方向にスライド移動させると、スライド移動指示に応じて画面を図示右側の地図へとスライド移動表示させることができる。同様に、ポインティングデバイス１の操作部３または１１を左方向にスライド移動させると、スライド移動に応じて画面を図示左側の地図へとスライド移動表示させることができる。
【００５６】
また、画面の中央部１２−２を中心に地図が表示されている状態において、ポインティングデバイスの操作部３または１１の右部分を下に押し下げる（傾け動作）と、一度の押し下げ操作毎に、図示右側の地図のぺージ捲り表示させることができる。同様に、ポインティングデバイスの操作部３または１１の左部分を下に押し下げる（傾け動作）と、一度の押し下げ操作毎に、図示左側の地図のぺージ捲り表示させることができる。
【００５７】
なお、上下の方向に関しても上記左右の操作のときと同様の表示を行うことができる。
【００５８】
図９は、本実施形態に係る地図表示装置の構成を示すブロック図である。
【００５９】
同図において、センサ４Ｌ、４Ｒは第１または第２の実施形態に用いられたポインティングデバイスのセンサに相当し、１３はセンサ４Ｌ、４Ｒにより検出された値に基づいてスライド動作やプッシュ動作を判定すると共に、移動方向、移動量を算出して表示信号を表示部１５に出力する中央制御部、１４は地図情報等が記憶されている記憶部、１５は表示部である。
【００６０】
また、中央制御部１３は、センサ４Ｌ、４Ｒによって検出された検出信号に基づいてシート部材７または１０の移動量を検出する移動量検出部１３−１，１３−３と、移動方向を検出する移動方向検出部１３−２，１３−５と、移動量検出部１３−１，１３−３と移動方向検出部１３−２，１３−５によって検出された検出データに基づいてスライド動作やプッシュ動作を判定すると共に、移動方向や移動量を算出する移動算出部１３−５と、移動算出部１３−５によって算出されたデータに基づいて表示部１５への表示信号を出力する表示制御部１３−６とから構成される。
【００６１】
同図において、移動量検出部１３−１ではセンサ４Ｌで検出された電気信号の変化を基に移動量を検出すると共に、移動方向検出部１３−２はセンサ４Ｌで検出された電気信号の変化を基に移動方向を検出する。移動量検出部１３−１、移動方向検出部１３−２で検出された移動量、移動方向は移動算出部１３−５に出力される。また、センサ４Ｒにより検出された値も、センサ４Ｌの場合と同様に、移動量検出部１３−４、移動方向検出部１３−３に入力され、ここで検出された移動量、移動方向も移動算出部１３−５に出力される。
【００６２】
ここで、移動量検出動作、移動方向検出動作に関しては、従来の光学マウスと同様の原理が適用可能であり、これらの技術は既に数多く知られているので、ここでの説明を省略する。
【００６３】
移動算出部１３−５では、センサ４Ｌとセンサ４Ｒの動きからどのような操作（右スライド、右プッシユ、左スライド、左プッシユ、センタープッシユのいずれか）がなされたかを算出し、それに基いて表示制御部１３−６に信号を出力する。
【００６４】
表示制御部１３−６では、記憶部１４から読み出された地図情報等と、移動算出部１３−５で算出された算出データに基いて、表示部１５に対して表示制御を行う。
【００６５】
なお、ここでは左右２つのセンサの場合について説明したが、上下左右４つのセンサを設けた場合も２つのセンサの場合と同様に説明することができるので、説明を省略する。
【００６６】
ここで、右スライド動作を検出した場合は、記憶部１４から現在表示している地図部分の右側のデータを読み出し、スライド移動指示に応じて右側の地図をスライド移動表示し、左スライド動作を検出した場合には、記憶部１４から現在表示している地図部分の左側のデータを読み出し、スライド移動指示に応じて図に示す左側の地図をスライド移動表示する。
【００６７】
また、右プッシュ動作を検出した場合は、記憶部１４から現在表示している地図部分の右側のデータを読み出し、一度の押し下げ操作毎に、右側地図の右ぺージ捲り表示し、左プッシュ動作を検出した場合は、記憶部１４から現在表示している地図部分の左側のデータを読み出し、一度の押し下げ操作毎に、左側地図の左ぺージ捲り表示する。
【００６８】
また、センタープッシュ動作を検出した場合は、特に説明していないが、割り当て手段によって割り当てられた決定等のセンタープッシュに対応する動作を行わせる。
【００６９】
図１０は、本実施形態に係る地図表示装置における地図表示処理の処理手順を示すフローチャートである。
【００７０】
まず、ＳＴＥＰ１において地図表示画面を開く。次に、ＳＴＥＰ２で図示しない選択手段により表示する地図の領域を指定し、ＳＴＥＰ３で指定された地図領域を表示する。ＳＴＥＰ４では、操作者によりポインティングデバイスへの操作があるかどうかを判断する。操作者によるポインティングデバイスヘの操作がなく、図示しない終了操作が行われた場合には、処理を終了する。操作者によるポインティングデバイスへの操作があれば、ＳＴＥＰ５−１でセンサ４Ｌの検出結果について判断する。センサ４Ｌの検出結果が「右に大きく移動」であれば、ＳＴＥＰ６−１でセンサ４Ｒの検出結果について判断する。センサ４Ｒの検出結果が「右に大きく移動」であれば、操作部による右スライド動作と判断し、ＳＴＥＰ７で、図８に示す右スライド表示、即ち右方向への順送り表示を行い、ＳＴＥＰ４に戻る。また、ステップ６−２において、センサ４Ｒの結果が「左に小さく移動」であれば、操作部による左プッシュ動作と判断し、ＳＴＥＰ８で左ぺージ捲り表示を行う。また、ステップ６−２でセンサ４Ｒの結果が「左に大きく移動」であれば、操作部によるセンタープッシュ動作と判断し、ＳＴＥＰ９で移動以外に割り当てられた処理を行い、ＳＴＥＰ４に戻る。
【００７１】
また、ＳＴＥＰ５−２の判断によりセンサ４Ｌの結果が「右に小さく移動」であれば、ＳＴＥＰ１０でセンサ４Ｒの検出結果について判断する。センサ４Ｒの結果が「左に大きく移動」であれば、操作部による右プッシュ動作と判断し、ＳＴＥＰ１１で右ぺージ捲り表示を行い、ＳＴＥＰ４に戻る。また、ステップ１０でセンサ４Ｒの結果が「左に小さく移動」であれば、誤差として何もせずに、ＳＴＥＰ４に戻る。また、ＳＴＥＰ５−３の判断によりセンサ４Ｌの結果が「左に大きく移動」であれば、ＳＴＥＰ１２でセンサ４Ｒの検出結果について判断する。センサ４Ｒの結果が「左に大きく移動」であれば、操作部による左スライド動作と判断し、ＳＴＥＰ１３で左スライド表示を行い、ＳＴＥＰ４に戻る。また、ステップ５−３でセンサ４Ｌの結果が「左に小さく移動」、またはステップ１２でセンサ４Ｒの結果が「左に大きく移動」以外であれば、何もせずＳＴＥＰ４に戻る。ここでの、大、小は、本発明の考え方の説明のための表現であり、大小は、左右のセンサの相対的な移動量を示しており、この移動量を用いて、スライド速度等の制御に用いることも可能である。
【００７２】
【発明の効果】
本願請求項１乃至請求項５に記載の発明によれば、簡単な構成で多種類の操作部の操作指示が可能であり、入力装置の部品点数を軽減することができ、生産コストを最小限に抑えることができる。
【００７３】
また、操作者にとって余計な負担をかけることなく多種類の操作指示を与えることができる。
【００７４】
本願請求項６に記載の発明によれば、本願請求項１乃至請求項５に記載の入力装置を地図情報装置に適用することにより、簡単な構成で操作部における平面に並行な移動に応じて画面上の地図情報をスライド表示させることができ、また、操作部における傾き動作に応じて画面上の地図情報のページ捲り表示させることができる。また、操作が容易であるので、操作者の負担を軽減することができる。
【００７５】
本願請求項７に記載の発明によれば、複数のセンサ部において操作動作の複数の移動方向及び複数の移動量を検出し、検出された複数の移動方向及び複数の移動量の組み合わせから操作部の複数種類の操作動作を容易に算出することができる。
【図面の簡単な説明】
【図１】本発明の第１の実施形態に係るポインティングデバイスの構成及びその動作状態を示す断面図である。
【図２】コンピュータ等のキーボードに取り付けられた第１の実施形態に係るポインティングデバイスの外観を示す図である。
【図３】図１に示す反射板８−Ｌ，８−Ｒの構成を示す図である。
【図４】図１に示すセンサ４における操作部３のスライド動作の検出原理を説明するための図である。
【図５】図１に示す操作部３のスライド動作及び傾き動作等の動作によってセンサ４Ｌ，４Ｒにおいて検出される検出量（シート部材７または反射板８−Ｌ，８−Ｒの移動量）の違いをまとめた表である。
【図６】図３に示した反射板８−Ｌ，８−Ｒと異なる反射板の形状及び配置を示す図である。
【図７】本発明の第２の実施形態に係るポインティングデバイスの構成及びその動作状態を示す断面図である。
【図８】第１乃至第２の実施形態に係るポインティングデバイスを第３の実施形態に係る地図情報装置に応用したときの表示画面を示す図である。
【図９】第３の実施形態に係る地図表示装置の構成を示すブロック図である。
【図１０】第３の実施形態に係る地図表示装置における地図表示処理の処理手順を示すフローチャートである。
【符号の説明】
１  ポインティングデバイス
２  本体キヤビネット部
２−１  固定部
３，１０  操作部
３−１  突起
３−２  係合支点部
４  センサ
５  弾性構造物
６  基台
７，９  シート部材
８  反射板
１１  弾性部材
１２−１  地図表示画面
１３  中央制御部
１３−１  左移動量検出部
１３−２  左移動方向検出部
１３−３  右移動方向検出部
１３−４  右移動量検出部
１３−５  移動算出部
１３−６  表示制御部
１４  記憶部
１５  表示部。
【図１】
0003735496.tif 000002
【図２】
0003735496.tif 000003
【図３】
0003735496.tif 000004
【図４】
0003735496.tif 000005
【図５】
0003735496.tif 000006
【図６】
0003735496.tif 000007
【図７】
0003735496.tif 000008
【図８】
0003735496.tif 000009
【図９】
0003735496.tif 000010
【図１０】
0003735496.tif 000011